(57)【要約】【課題】常に最新の画像情報を印刷したラベルを確実に記憶媒体に貼着することができ、記憶媒体を効率的に管理することのできる撮像装置を提供する。【解決手段】本発明の撮像装置では、記憶媒体としてのスマートメディア１１を記憶媒体挿入口１３に挿入し、入力スイッチ群１０にて入力した患者情報等のホルダ名を該スマートメディア１１内に作成する。この患者情報は図示しないＣＣＵ４の制御部によって印字ヘッド１９が駆動されることによりラベル１７上に印字されラベル排出口１４の外側方向へと搬送され、印字終了後、ラベル１７の基端部はラベル排出口１４から突出する。このとき、スマートメディア１１は記憶媒体挿入口１２から突出しており、ユーザは、指でスマートメディア１１とその上方近傍に配される印字されたラベル１７とを挟んで引き出すことにより、患者情報等が印字されたラベル１７をスマートメディア１１上の所定位置に貼着することができ、ラベル付きのスマートメディア１１を簡単に取り出せることになる。【選択図】    図２
2004343156.tif 000002
【特許請求の範囲】
【請求項１】
被写体を撮像可能な撮像手段と、
前記撮像手段で撮像された撮像信号を信号処理可能な信号処理ユニットと、
前記信号処理ユニットに設けられ、信号処理された撮像信号を記憶するための記憶媒体を着脱自在な記憶媒体装着部と、
前記撮像信号に関する情報を入力可能な情報入力手段と、
前記信号処理ユニットに設けられ、前記情報入力手段で入力された前記情報を所定のラベルに印刷可能な印刷手段と、
前記記憶媒体装着部に装着された記憶媒体を取出し操作可能な取出し操作部と、
前記取出し操作部に応じて、前記印刷手段で印刷されたラベルを送り出し可能なラベル送り出し手段と、
前記ラベル送り出し手段で送り出されたラベルを排出可能に前記記憶媒体装着部の近傍に設けられたラベル排出口と、
を具備したことを特徴とする撮像装置。
【発明の詳細な説明】
【０００１】
【発明の属する技術分野】
本発明は、体腔内に挿入された内視鏡の被写体像を撮像し、該被写体像の静止画、あるいは動画を外部の記憶媒体に記録することのできる内視鏡用の撮像装置の改良に関する。
【０００２】
【従来の技術】
近年、医療用分野及び工業用分野で内視鏡が広く使われている。また、最近では、光学式内視鏡の接眼部に撮像手段を備えたテレビカメラを装着した外付け内視鏡や、先端部に撮像手段を内蔵した電子内視鏡により、撮像した内視鏡画像をモニタに表示する内視鏡用撮像装置も広く用いられるようになった。
【０００３】
このような内視鏡用撮像装置を用いて、例えば医療分野で内視鏡を用いた手術、検査を行った場合、後で詳しく診断、あるいはカルテに画像として貼り付けるために、ＭＯ、スマートメディアといった記憶媒体に内視鏡画像を記録したりすることがある。
【０００４】
このような使用形態に鑑み、従来では、複数の記憶媒体を管理するために、記憶媒体に記録された情報を、記憶媒体に貼り付けるためにプリントアウトすることができる内視鏡画像情報プリント装置が、本件出願人によって提案がなされた特開平１０−２８６２２６号公報によって開示されている。
【０００５】
この提案による内視鏡画像情報プリント装置は、内視鏡画像と共に該内視鏡画像に関連した少なくとも総合インデックス情報を記録した記憶媒体により、前記総合インデックス情報を読み出す読み出し手段と、前記読み出し手段により読み出された前記総合インデックス情報をインデックスラベルに印刷するプリント手段とを備えて構成することにより、簡単な構成により、内視鏡画像を記録した記憶媒体を効率的に管理するようにしている。
【０００６】
関連技術としては、例えば特開平１１−４７０８９号公報の記載の内視鏡撮像装置がある。この提案による内視鏡画像装置は、主に信号処理手段で信号処理された撮像信号に基づくデジタル信号に所定の判別信号を付加する判別信号付加手段と、この付加された判別信号に基づき圧縮率を決定し前記デジタル信号を圧縮する圧縮手段と、この圧縮されたデジタル信号を記憶媒体に記録する記録手段とを含んで構成されている。
【０００７】
この構成により、前記圧縮手段が前記判別信号付加手段により付加された判別信号に基づき圧縮率を決定し前記デジタル信号を圧縮し、前記記録手段が圧縮されたデジタル信号を記憶媒体に記録することで、自動的に最適な圧縮率で内視鏡画像を圧縮し、記憶媒体の利用効率を向上させることを可能にしている。
【０００８】
【特許文献１】
特開平１０−２８６２２６号公報
【０００９】
【特許文献２】
特開平１１−４７０８９号公報
【００１０】
【発明が解決しようとする課題】
しかしながら、前記従来の特開平１０−２８６２２６号公報に記載の提案では、プリントアウトされたラベルをその場で貼れば混乱が起きることはないが、術中に一つの記憶媒体で足りずに交換する、あるいは、複数の術者が一つの記憶媒体に画像等を記録し、引継ぎがうまくいかなかった場合には、ラベルを貼り忘れるということは十分考えられる。このような場合、記憶媒体中に保存されている画像、情報を撮像装置、あるいはＰＣを立ち上げ、一つ一つ確認する必要があり、所望のものを探し出すのが困難であった。
【００１１】
また、前記従来の特開平１１−４７０８９号公報の記載の提案では、単に付加された判別信号に基づく圧縮率で圧縮したデジタル信号を記憶媒体に記録するといった構成になっていることから、上記同様に記憶媒体中に保存されている画像を撮像装置、あるいはＰＣを立ち上げて一つ一つ確認する必要があり、所望のものを探し出すのは面倒であり、これを解消するには至っていない。
【００１２】
そこで、本発明は上記問題点に鑑みてなされたもので、常に最新の画像情報を印刷したラベルを確実に記憶媒体に貼着することができ、記憶媒体を効率的に管理することのできる撮像装置を提供することを目的とする。
【００１３】
【課題を解決するための手段】
上記目的を達成するための本発明の撮像装置は、被写体を撮像可能な撮像手段と、前記撮像手段で撮像された撮像信号を信号処理可能な信号処理ユニットと、前記信号処理ユニットに設けられ、信号処理された撮像信号を記憶するための記憶媒体を着脱自在な記憶媒体装着部と、前記撮像信号に関する情報を入力可能な情報入力手段と、前記信号処理ユニットに設けられ、前記情報入力手段で入力された前記情報を所定のラベルに印刷可能な印刷手段と、前記記憶媒体装着部に装着された記憶媒体を取出し操作可能な取出し操作部と、前記取出し操作部に応じて、前記印刷手段で印刷されたラベルを送り出し可能なラベル送り出し手段と、前記ラベル送り出し手段で送り出されたラベルを排出可能に前記記憶媒体装着部の近傍に設けられたラベル排出口と、を具備したことを特徴とするものである。
本発明によれば、上記構成において、前記ラベル排出口が前記記憶媒体装着部近傍にもうけられているので、常に最新の画像情報を印刷したラベルを確実に記憶媒体に貼着することができ、記憶媒体を効率的に管理することができる撮像装置の実現が可能となる。
【００１４】
【発明の実施の形態】
以下、本発明の実施の形態を図面を参照して説明する。
第１の実施の形態：
（構成）
図１乃至図４は本発明の撮像装置の第１の実施の形態を示し、図１は該撮像装置を用いて内視鏡システムとして構成した場合のシステム全体の概略構成を示す構成図であり、図２は図１のＣＣＵの記憶媒体挿入口及びラベル排出口近傍の詳細構成を説明するための断面図である。また、図３及び図４は本実施の形態の撮像装置の特徴となる作用を説明するための説明図であり、図３（ａ）は記憶媒体としてのスマートメディアをＣＣＵから取り出す状態を示し、図３（ｂ）は図３（ａ）に示すスマートメディアを取り出した後の状態を示し、図４は本装置によってラベルが貼着されたラベル付きスマートメディアの外観を示す図である。
【００１５】
本実施の形態の内視鏡用撮像装置１は、図１に示すように、硬性鏡（内視鏡ともいう）２と、該硬性鏡２に着脱自在に装着された外付けテレビジョンカメラ（以下、ＴＶカメラと称す）３と、該ＴＶカメラ３を制御するカメラコントロールユニット（以下、ＣＣＵと称す）４と、硬性鏡２に白色光を供給する光源装置５と、該光源装置５から硬性鏡２に照明光を導くためのライトガイドケーブル６と、ＣＣＵ４に接続された表示手段としてのモニタ７とから構成されている。
【００１６】
硬性鏡２及びＴＶカメラ３は、撮像手段として構成されたもので、該ＴＶカメラ３は硬性鏡２からの撮像信号を取り込み、外周に設けられたリモートコントロールスイッチ２０による操作に基づき、静止画あるいは動画に対応した撮像信号を接続ケーブル９Ａ，カメラコネクタ９を介してＣＣＵ４内に供給する。
【００１７】
なお、リモートコントロールスイッチ２０は、静止画あるいは動画の観察画像を表示または記録するためのモード選択スイッチである。
【００１８】
モニタ７は、前記ＣＣＵ４にケーブル７Ａを介して電気的に接続されており、前記ＴＶカメラ３からの撮像信号が後述するＣＣＵ４内の映像信号処理回路１５により信号処理された後供給されて、該撮像信号に基づく観察画像を表示する。
【００１９】
ＣＣＵ４には、接続ケーブル８Ａを介して、患者情報等を入力するためのキーボード８が接続可能になっている。
ＣＣＵ４は、筐体本体４Ａで主に構成されており、この筐体本体４Ａの前面側には、前記ＴＶカメラ３を接続するカメラコネクタ９の他、患者情報等を入力可能な入力スイッチ群１０、スマートメディア１１等の記憶媒体が挿入可能な記憶媒体挿入口１２、記憶媒体を取り出すための取出しボタン１３、記憶媒体挿入口１２のすぐ上には、スマートメディア１１に患者情報等が印字されたラベルを貼り付けるためのラベル排出口１４が設けられている。
【００２０】
入力スイッチ群１０は、例えば複数のスイッチから構成されており、これらのスイッチを操作することにより、ＣＣＵ４内の図示しない制御部に対して患者情報等の入力が可能である。また、入力スイッチ群１０を操作することにより、該内視鏡システム全体の電源操作や各種制御操作を実行することも可能である。
【００２１】
記憶媒体挿入口１３及びラベル排出口１４は、上述したように該ラベル排出口１４が記憶媒体挿入口１３の上側近傍に併設されている。
【００２２】
また、取出しボタン１３についても記憶媒体挿入口１３近傍に配されており、スマートメディア１１の取り出し時には該取出しボタン１３を押下することにより、該記憶媒体挿入口１３内に装着されたスマートメディア１１の一部を本体筐体４Ａの前面側に突出させると同時に、該スマートメディア１１を取出し可能状態にする。つまり、ユーザが突出したスマートメディア１１の一部を引き出せば、記憶媒体挿入口１３からのスマートメディア１１の取り出しが容易にできる。
【００２３】
上記構成のＣＣＵ４は、該内視鏡システム全体に対する各種制御（例えば表示制御や調光制御等）を行うもので、内部には各種制御するのに必要な回路群や、後述するが本実施の形態の特徴となる印刷手段及びラベル送り出し手段等が搭載されている。
【００２４】
次に、本実施の形態の特徴となるＣＣＵ４の記憶媒体挿入口１２及びラベル排出口１４近傍の詳細な構成について、図２を参照しながら詳細に説明する。
【００２５】
図２に示すように、ＣＣＵ４の筐体本体４Ａの前面側には、上記の如く記憶媒体挿入口１２が配されており、この記憶媒体挿入口１２の奥には、スマートメディア１１とＣＣＵ４内の映像処理回路１５とを電気的に接続するための接点部１６が配設される。
【００２６】
スマートメディア１１の記憶媒体挿入口８への装着時には、スマートメディア１１の先端部に配された端子部が接点部１６内の端子と電気的に接続することにより、スマートメディア１１の端子部は、該接点部１６内の端子と電気的に接続される例えばフレキシブル配線等の接続線１５Ａを介してＣＣＵ４内の映像処理回路１５と電気的に導通することになる。
【００２７】
また、スマートメディア１１の取り出し時には、上述したように取出しボタン１３と連動する図示しない取り出し機構が駆動することにより、記憶媒体挿入口８に装着されたスマートメディア１１を、記憶媒体挿入口１２より本体筐体４Ａの前面側に突出させるようになっている。
【００２８】
なお、前記映像処理回路１５は、信号処理ユニットとして構成されたもので、図示しないＣＣＵ４内の制御部と電気的に接続されており、この制御部による制御によって撮像された画像データに信号処理してスマートメディア１１に記録させ、あるいはスマートメディア１１に記録された画像データを読み出し、信号処理して前記モニタ７に表示させる処理回路である。
【００２９】
一方、前記ラベル排出口１４の筐体本体４Ａ内近傍には、ラベル１７をスマートメディア１１と略平行に押し出すためのローラー１８が配されている。このローラ１８は一対の回転可能に軸支されたローラが上下に対向配置されており、これらローラにシート状のラベルを挟持しながらラベル排出口１４の外側方向へと送り出すことができる。
【００３０】
なお、このローラ１８は、図示はしないがモータ等の駆動手段が設けられており、ＣＣＵ４内の図示しない制御部によってその駆動が制御されるようになっている。
【００３１】
また、前記ローラ１７の奥には、印刷手段としての印字ヘッド１９が配設されており、その奥にはラベル１７がロール状にストックされるようになっている。印字ヘッド１９は、図示しないＣＣＵ４内の制御部と電気的に接続されており、この制御部による制御によってラベル１７上の所定位置に患者情報等のデータを印刷するようになっている。
【００３２】
なお、前記ラベル１７は、図示はしないが筐体本体４Ａ内部に所定位置に設けられた保持手段によって、ロール状にストックされるようになっており、また図示はしないが該ロール状のラベル１７を上記保持手段に装填するための開口部や前記ローラ１８にラベル１７の先端部を案内するためのガイド手段等が筐体本体４Ａ上あるいは内部に設けられている。
【００３３】
（作用）
次に本実施の形態の撮像装置の特徴となる作用について図２及び図３を参照しながら詳細に説明する。
【００３４】
いま、図１に示す撮像装置１を用いて、術中、あるいは診断中の画像記録を行うものとする。この場合、ＣＣＵ４を含み撮像装置１全体の電源が投入されるとＣＣＵ４（図示しない制御部）はシステム全体を動作可能状態となるように制御する。
【００３５】
そして、ユーザは、図１に示すキーボード８、または入力スイッチ群１０により、画像を保存しておくための、例えば“ＴＡＫＡＹＡＭＡ”という名を入力し、この名のフォルダをスマートメディア１１内に作るように指示操作する。
【００３６】
すると、ＣＣＵ４内の図示しない制御部は、ユーザの指示操作に基づき、図示しない記録再生手段を制御して、スマートメディア１１内に上記名のホルダを作成する。
【００３７】
次に、ユーザは、術中、あるいは診断中にＴＶカメラ３に配設されるリモートスイッチ２０を押すことにより、そのときの撮像画が静止画、あるいは動画としてスマートメディア１１内の“ＴＡＫＡＹＡＭＡ”のフォルダ内に保存される。すなわち、ＣＣＵ４内の制御部（図示せず）は、ＴＶカメラ３から得られた観察画像の静止画、あるいは動画に基づき画像データを映像処理回路１５によって信号処理し、接続線１５Ａ，接点部１６を介してスマートメディア１１に供給することにより、作成されたフォルダ内に保存されることになる。
【００３８】
また、別のフォルダに保存した場合は、同様の手順により、例えば“ＶＩＳＥＲＡ”といったフォルダ名をつくることができる。
【００３９】
また、フォルダが作られなかった場合は、ＣＣＵ４の図示しない制御部は、そのときの日付、例えば“２００２０２１５”といったフォルダを自動的に作るように制御する。
【００４０】
次に、手術、検査が終わりスマートメディア１１を取り出すときの作用について説明する。
【００４１】
スマートメディア１１を記憶媒体挿入口１３より取り出す場合、ユーザは、ＣＣＵ４の取出しボタン１３を押下する。
【００４２】
すると、この取出しボタン１３の押下に連動して、図示しない制御部は、これを検知し、ラベル１７上に、スマートメディア１１内にあるフォルダの名前、本例では、“ＴＡＫＡＹＡＭＡ”、“ＶＩＳＥＲＡ”、“２００２０２１５”の文字を印字するように印字ヘッド１９を駆動制御する。こうして、ラベル１７に対する上記患者情報の印字が開始される。
【００４３】
このとき、スマートメディア１１は押し出されて図２中に示す破線の位置に露出されている。
【００４４】
また、印字を開始する同時に、図示はしないが制御部は、ラベル１７を印字動作に同期しながらローラ１８の駆動手段を駆動制御することにより、印字されたラベル１７をラベル排出口１４の外側方向に搬送するように制御する。
【００４５】
その後、印字終了後、ラベル１７も上記制御部（図示せず）のローラ１８の駆動制御によって、図２中に示す破線の位置まで押し出されることになる。
【００４６】
そして、ユーザは、図３（ａ）に示すように指でスマートメディア１１とその上方近傍に配される印字されたラベル１７とを挟んで、図中矢印Ａ方向に引き出すことにより、図３（ｂ）に示すように、即座に患者情報等が印字されたラベルをスマートメディア１１上の所定位置に貼着することができ、その結果、図４に示すようなラベル付きのスマートメディア１１を取り出すことができる。
【００４７】
なお、本実施の形態では、ラベル１７は記憶媒体に合わせた一定距離間隔で切断用のミシン目が設けられるとともに、裏面には貼着用の糊面が形成されており、ラベル１７を切断するのも容易で且つ確実に記憶媒体上に貼着することができるようになっている。また、ラベル排出口１４の開口近傍に、ラベル１７を容易に切断可能な手段を設けて構成して印字されたラベル１７を切断するようにしても良い。
【００４８】
また、フォルダ名は、“患者名”、“患者のＩＤ”、“日付”、“検査した術者の名前”、または上記の組み合わせ、例えば“患者名と術者の名前”といった患者情報を作成するようにしても良い。
【００４９】
（効果）
したがって、本実施の形態によれば、ラベル１７を別途作成、貼り付ける動作を省略することができ、また、記憶媒体（スマートメディア１１）を取り出すときに確実にラベル１７が貼り付けられるので、その後の管理が容易である。さらに、記憶媒体（スマートメディア１１）を取り出すときの情報を書き込むので、最新の情報をラベル１７に盛り込むことができるといった効果を得る。
【００５０】
第２の実施の形態：
（構成）
図５乃至図８は本発明の撮像装置の第２の実施の形態を示し、図１は該撮像装置を用いて内視鏡システムとして構成した場合のシステム全体の概略構成を示す構成図であり、図６は本装置に採用された情報表示部を有する記憶媒体の外観を示す図である。また図７は図５のＣＣＵの記憶媒体挿入口近傍の詳細構成を説明するための断面図である。さらに、図８は本実施の形態の撮像装置の特徴となる作用を説明するための説明図であり、図８（ａ）は患者情報書き換え以前の情報表示部を有する記憶媒体を示し、図８（ｂ）患者情報消去後の情報表示部を有する記憶媒体を示し、図８（ｃ）は新たな患者情報書き込み後の情報表示部を有す記憶媒体を示し、図８（ｄ）は追加、削除された患者情報書き込み変更後の情報表示部を有する記憶媒体をそれぞれ示している。なお、以下に説明する第２の実施の形態では、前記第１の実施の形態と同様な構成要素については同一の符号を付して重複する説明を省略し、異なる部分のみを説明する。
【００５１】
本実施の形態の撮像装置１は、図５に示すように、前記第１の実施の形態におけるラベル排出口１４を削除し、記憶媒体挿入口１２に挿入される記憶媒体２１の種類を替えて構成したことが特徴である。
【００５２】
また、オプションとしてカードリーダー２２が接続ケーブル２２Ａを介してＣＣＵ４に接続可能であり、このカードリーダ２２は、患者名、ＩＤ等が記録されている診察カード２３から患者情報を読み込むことができる。その後、読み込んだ患者情報はＣＣＵ４内の制御部によって一旦保持されるようになっている。
【００５３】
本実施の形態において用いられる記憶媒体２１は、図６に示すように、熱により情報の書き込み、消去、書き換えが可能なサーマルロイコ式の情報表示部２４を備えて構成されている。この情報表示部２４は、後述するサーマルロイコ式印字ヘッド２５によって情報の書き込み、消去、書き換え制御及び表示制御がなされるようになっている。
【００５４】
この記憶媒体２１の使用に伴い、ＣＣＵ４内部の構成も改良がなされている。具体的には、図７に示すように、ＣＣＵ４の記憶媒体挿入口１２近傍の詳細構成を示すと、記憶媒体挿入口１２の近傍の上方には、サーマルロイコ式印字ヘッド２５が配設される。
【００５５】
この印字ヘッド２５は、ＣＣＵ４内の図示しない制御部によってその駆動制御が成されるようになっている。
【００５６】
その他の構成は、前記第１の実施の形態と同様である。
【００５７】
（作用）
次に本実施の形態の撮像装置の特徴となる作用について図７及び図８を参照しながら詳細に説明する。
【００５８】
本実施の形態において、患者情報等の入力操作については前記第１の実施の形態と同様に動作する。
【００５９】
いま、図５に示す内視鏡用の撮像装置１を用いて患者情報ラベルの書き込み、消去、書き換え動作を行うものとする。
【００６０】
例えば、記憶媒体２１の情報表示部２４に、図８（ａ）に示すようにフォルダ名“２０００１２１５”と“ＯＬＹＭＰＵＳ”と書き込まれていたものとする。
【００６１】
この場合、まずユーザは、この記憶媒体２１を記憶媒体挿入口１２に挿入し、この時点で、電気的に接点１６を介して接続されるＣＣＵ４の図示しない制御部は、記憶媒体２１の挿入を検知すると同時に、サーマルロイコ式印字ヘッド２５を駆動制御することにより、図８（ａ）に示すように情報表示部２４に書き込みされているフォルダ名“２０００１２１５”と“ＯＬＹＭＰＵＳ”を消去するように制御する。すると、記憶媒体２１の情報表示部２４は、図８（ｂ）に示すように消去されることになる。
【００６２】
そして、ユーザは、前記第１の実施の形態と同様に入力スイッチ群１０を用いて新たなホルダ名、例えば“ＴＡＫＡＹＡＭＡ”、“ＶＩＳＥＲＡ”、“２００２０２１５”を入力し、これを受けＣＣＵ４の制御部は、サーマルロイコ式印字ヘッド２５を駆動制御することにより、図８（ｃ）に示すように記憶媒体２１の情報表示部２４に前記フォルダ名を書き込む。
【００６３】
そして、図８（ｄ）に示すようにフォルダが追加、削除される度に、ＣＣＵ４の制御部は、消去、書き込みを行うように制御をする。
【００６４】
なお、本実施の形態において、フォルダの作り方は、前記第１の実施の形態と同様な作り方の他、図５中に示す診察カード２３をカードリーダー２２に通すことにより、例えば“ＴＯＫＹＯ”という名のフォルダを自動的に作成することができる。
【００６５】
（効果）
したがって、本実施の形態によれば、ラベルを剥がしたり、上貼りすることなく、情報の書き換えが可能となり、また、内部の情報に変化がある度にに書き換えるので、途中で停電のあった場合や、不注意で電源を落としてしまった場合でも最新の情報を盛り込むことができる。また、前記情報表示部２４と印字ヘッド２５は白濁式のものでも同様の効果が得られる。
【００６６】
なお、本発明は上記第１及び第２の実施の形態に限定されるものではなく、これらの実施の形態の応用や組み合わせも適用される。
【００６７】
［付記］
以上詳述したような本発明の上記実施の形態によれば、以下の如き構成を得ることができる。
【００６８】
（１）  被写体を撮像可能な撮像手段と、
前記撮像手段で撮像された撮像信号を信号処理可能な信号処理ユニットと、
前記信号処理ユニットに設けられ、信号処理された撮像信号を記憶するための記憶媒体を着脱自在な記憶媒体装着部と、
前記撮像信号に関する情報を入力可能な情報入力手段と、
前記記憶媒体に設けられ、情報が書き換え可能なラベル手段と、
前記情報入力手段で入力された前記情報に基づいて、前記記憶媒体装着部に装着された記憶媒体の前記ラベル手段に書き込み可能な書き込み手段と、
を具備したことを特徴とする撮像装置。
【００６９】
（２）  体腔内に挿入された内視鏡の被写体像を撮像し、被写体像の静止画、あるいは動画を記憶媒体に記録することのできる内視鏡用の撮像装置において、
前記被写体像に関する情報を記載するラベルと、
外部記憶媒体を挿入する挿入口の近傍に設けられ、前記記憶媒体が排出されるのに連動してラベルを押出すラベル送り出し手段と、
前記ラベル送り出し手段の近傍に配設され、前記ラベルに対して前記情報を印刷する情報印刷手段と、
を具備したことを特徴とする撮像装置。
【００７０】
（３）  前記外部記憶媒体に備えられた前記ラベル手段は、情報の書込み、消去、書換えが可能な情報表示部であり、前記書き込み手段は該情報表示部への情報の書込み、消去、書換えが可能な情報変更手段であることを特徴とする（１）に記載の撮像装置。
【００７１】
（４）  前記ラベル手段は一定距離間隔で切断用のミシン目が設けられるとともに、裏面が貼着用の糊面が形成され、前記ラベル送り出し手段は前記記憶媒体と略平行にラベルを送り出すように構成されたことを特徴とする（２）に記載の撮像装置。
【００７２】
（５）  前記情報表示部及び前記情報変更手段は、熱により前記情報の書き込みと消去が可能なサーマルロイコ式で構成されたことを特徴とする（２）または（３）に記載の撮像装置。
【００７３】
（６）  前記情報表示部及び前記情報変更手段は、熱により前記情報の書き込みと消去が可能な白濁式で構成されたことを特徴とする（２）または（３）に記載の撮像装置。
【００７４】
（７）  さらに、前記記憶媒体または外部記憶媒体に記憶された情報及び画像データを表示するとともに、前記撮像手段からの撮像信号に基づく画像を表示するモニタを具備したことを特徴とする（１）乃至（６）のいずれか１つに記載の撮像装置。
【００７５】
（８）  さらに、前記情報を撮像装置内に入力するための本体操作部あるいはキーボードを具備したことを特徴とする（２）乃至（６）のいずれか１つに記載の撮像装置。
【００７６】
【発明の効果】
以上、述べたように本発明によれば、常に最新の画像情報を印刷したラベルを確実に記憶媒体に貼着することができ、記憶媒体を効率的に管理することのできる撮像装置の実現が可能となる。
【図面の簡単な説明】
【図１】本発明の撮像装置の第１の実施の形態を示し、該撮像装置を用いて内視鏡システムとして構成した場合のシステム全体の概略構成を示す構成図。
【図２】図１のＣＣＵの記憶媒体挿入口及びラベル排出口近傍の詳細構成を説明するための断面図。
【図３】本実施の形態の撮像装置の特徴となる作用を説明するための説明図。
【図４】本装置によってラベルが貼着されたラベル付きスマートメディアの外観を示す図。
【図５】本発明の撮像装置の第２の実施の形態を示し、該撮像装置を用いて内視鏡システムとして構成した場合のシステム全体の概略構成を示す構成図。
【図６】本装置に採用された情報表示部を有する記憶媒体の外観を示す図。
【図７】図５のＣＣＵの記憶媒体挿入口近傍の詳細構成を説明するための断面図。
【図８】本実施の形態の撮像装置の特徴となる作用を説明するための説明図。
【符号の説明】
１…撮像装置、
２…硬性鏡（内視鏡）、
３…ＴＶカメラ、
４…カメラコントロールユニット（ＣＣＵ）、
５…光源装置、
６…ライトガイドケーブル、
７…モニタ、
８…キーボード、
９…カメラコネクタ、
１０…入力スイッチ群、
１１…スマートメディア（記憶媒体）、
１２…記憶媒体挿入口、
１３…取出しボタン、
１４…ラベル排出口、
１５…映像処理回路、
１６…接点部、
１７…ラベル、
１８…ローラ、
２０…リモートコントロールスイッチ。
【図１】
2004343156.tif 000003
【図２】
2004343156.tif 000004
【図３】
2004343156.tif 000005
【図４】
2004343156.tif 000006
【図５】
2004343156.tif 000007
【図６】
2004343156.tif 000008
【図７】
2004343156.tif 000009
【図８】
2004343156.tif 000010